(57)【要約】【課題】歯科・医科用診療器具において、小型で簡素な構成でありながら、照射対象域における無影性と診療内容に適合した照射光の均一的な光照射を提供する、成形柔軟性の高い光源の搭載を実現することを目的とする。【解決手段】歯科・医科用診療器具の末端部に搭載される光源の部材にエレクトロルミネッセンス素子を用いて面発光による照射光を獲得する。これにより、当該素子の特性である成形柔軟性、軽薄性、面発光による照射光の均一性を活かした高性能のハンドピースを提供する。また照射光可変手段によって無影で作業内容に最適な光の照射環境を調える機能を持ったハンドピースを提供する。【選択図】図１
2009082702.tif 000002
【特許請求の範囲】
【請求項１】
ハンドピースヘッド部に設けられた、診療用工具の着脱または作業媒体の出もしくは入りのための開口部の周りを包囲するように、エレクトロルミネッセンス素子の面発光光源を備えたことを特徴とする歯科・医科用診療器具。
【請求項２】
請求項１に記載の歯科・医科用診療器具において、
前記光源が、少なくとも照射光の波長変更手段または光量変更手段のいずれか一方の照射光可変手段を備えることを特徴とする、歯科・医科用診療器具。
【発明の詳細な説明】
【技術分野】
【０００１】
本発明は、歯科・医科用診療器具、特に面発光光源を搭載したハンドピースに関する。
【背景技術】
【０００２】
従来から歯科・医科診療において、歯牙並びに骨の切削・研磨、異変部の除去・洗浄、看部の診断等の診療処置を行う際に、術者は狭小部位に対する診療行為に伴う困難を強いられている。特に歯科診療の分野においては、処置対象が、口腔という陰暗で狭窄した空間内であることもあり、診療環境における照明性能の強化、及び診療器具の小型化に力が注がれている。
【０００３】
また、歯牙並びに骨の治療において、診療箇所に対して照明光の不均一が発生しないようにしなければならない。
【０００４】
歯牙並びに骨の診療において、術者は、主に次に記載するような各種ハンドピースを駆使することによって診療を行う。すなわち、歯科用エアタービンハンドピース、マイクロモータハンドピース、スケーラ、スリーウェイシリンジ、バキュームシリンジ、レーザハンドピース、光重合照射器、並びに口腔内カメラ等のように、本体先端部に診療用工具を着脱する為の、または作業媒体の出もしくは入りの為の開口部を備えたハンドピースが使用される。
【０００５】
従来は、これらのハンドピース等の光源として小型電球やＬＥＤ（発光ダイオード）が使用されてきた。ＬＥＤ（発光ダイオード）を使用した照明装置ないし光照射機構を搭載した歯科・医科用診療器具の例として、例えば特許文献１の技術がある。
【０００６】
特許文献１の技術は、コントラアングルタイプのハンドピースに対して、複数のＬＥＤ（発光ダイオード）を透明で耐熱性のある合成樹脂内において工具の周りに埋設したことを特徴とするものである。
【０００７】
【特許文献１】特開２００１−１１２７７９
【発明の開示】
【発明が解決しようとする課題】
【０００８】
例えば、上記特許文献１に示す従来の歯科・医科用の診療器具においては、ＬＥＤ（発光ダイオード）を用いて小型化・軽量化、均一な照明性能、省電力長寿命の特性を活かした高いコストパフォーマンスを実現するための一連の試みがなされている。
【０００９】
しかしながら、特許文献１で提案されるＬＥＤ（発光ダイオード）光源を複数用いる口腔内光照射装置は、この装置が口腔内で使用される点を鑑みれば、歯科・医科用ハンドピース搭載型の照明装置として、まだ充分な機能を備えているとはいえない。ＬＥＤを光源として使用する場合、以下に示すような点が、診療器具における小型化及び性能の向上を目指す際に障壁となっている。
【００１０】
まず、ＬＥＤ（発光ダイオード）には柔軟な成形性がない。従って、例えば、ハンドピースヘッド部のように湾曲した形状に沿った複雑な成形が非常に困難である。
【００１１】
また、ＬＥＤ（発光ダイオード）は比較的立体性のある素子のため、加工時に素子の高さや厚み等が、器具の小型化の障害になることがある。また、広い照射域を確保したい場合、複数のＬＥＤ（発光ダイオード）光源を配置する方法を用いることも多い。従って、どうしてもハンドピースヘッド部の嵩や重量が増してしまい、薄層化や軽量化の妨げとなって、使用時の負担が大きい構成になり不便である。
【００１２】
更に照射光の均一性を追求するには、照射対象に向け、同一光源から同一条件下で光照射がなされることが望ましい。しかし、光源に複数のＬＥＤ（発光ダイオード）を使用する特許文献１記載のような従来技術では、極めて小さな点光源を複数配置する。この為、点光源間に発生する暗部もしくは光の重畳による、光の強度のムラが発生することがある。従って、光の照射域における光の強度の均一性を満たすことが難しい。
【００１３】
つまりＬＥＤ（発光ダイオード）を光源に用いる方法では、パフォーマンス性を追及する上で、機能性と使い勝手の良さを総合的に向上し確保することは非常に困難である。
【００１４】
上記に示すように、特許文献１のＬＥＤ（発光ダイオード）を用いた技術には、依然として解決すべき課題が残されていることがわかる。すなわち、大きくは次の点が歯科・医科用診療器具として解決すべき点である。
１  成形性、つまりハンドピースヘッドの曲面や平面の形状に沿った形状での光源の配置技術
２  薄層化、つまりハンドピースヘッド部の厚みを厚くしない技術
３  軽量化、つまり使用時に負担の少ないハンドピースヘッド部を含むハンドピース本体の重量を実現する技術
４  看部への均一な照明性能、つまり光の照射域内では同等の照明状態が得られる技術
【００１５】
以上のとおりであるから、特許文献１に用いられる技術は、光照射機構を有する歯科・医科用診療器具に対して、形体の最適化や機能の充実を図る抜本的な解決策を提案するものではなかった。
【００１６】
本発明は、更なる改良の余地が認められる上記の歯科・医科用診療器具分野の現状に鑑み、発光光源にエレクトロルミネッセンス素子を用いることにより、歯科・医科用診療器具の光照射機構に係る、成形性、薄層化や軽量化による小型化、照射光の無影性及び均一性、の改善を図り、総合的な性能の向上を実現する。
【課題を解決するための手段】
【００１７】
請求項１に記載の歯科・医科用診療器具は、ハンドピースヘッド部に設けられた、診療用工具の着脱または作業媒体の出もしくは入りのための開口部の周りを包囲するように、エレクトロルミネッセンス素子の面発光光源を備える。
【００１８】
尚、「包囲するように」面発光光源を備える構成とは、光源が該開口部の周囲３６０度を完全に取り囲む構成でもよいし、該開口部の略全体を囲むように単一もしくは複数の光源を略３６０度に渡り配置するような構成でもよいことを意味する。
【００１９】
請求項２に記載の歯科・医科用診療器具は、請求項１の歯科・医科用診療器具において、前記光源が、少なくとも照射光の波長変更手段または光量変更手段のいずれか一方の照射光可変手段を備える。
【発明の効果】
【００２０】
本発明の請求項１に係る歯科・医科用診療器具によれば、光源部材にエレクトロルミネッセンス素子を用いる。当該素子の持つ高い成形柔軟性によって、ＬＥＤ（発光ダイオード）では対応できなかった、光源の曲線的な加工や曲面的な加工にも対応できるようになる。その結果、光源が搭載部分の形状を制限することがなくなるため、従来の歯科・医科用診療器具に比べ、より診療に好適な、多様な形状の器具を実現できるようになる。
【００２１】
加えて、本発明の請求項１に係る歯科・医科用診療器具によれば、光源部材にはＬＥＤ（発光ダイオード）素子よりも薄層化、軽量化に適した素材であるエレクトロルミネッセンス素子を用いる。従って、本発明の歯科・医科用診療器具では、ハンドピースヘッド部を従来の形状より更に小さく軽くした、歯科・医科用診療器具の実現が可能になる。
【００２２】
本発明の請求項１に係る歯科・医科用診療器具によれば、エレクトロルミネッセンス素子を用いた面発光光源を、診療用工具の着脱や作業媒体の出または入りの為に設けられた開口部の周りを包囲するよう配置することで、診療用工具の軸や作業媒体の軸と照射光の軸とを平行にすることができる。これにより、面発光光源からの照射光の照射方向軸と、歯科・医科用診療器具に設けた診療用工具や作業媒体の作業方向軸とが、少なくとも略平行以上の精度を形成することができる。その結果、診療用工具や作業媒体と面発光光源からの照射光とが干渉し合う際に、光の入射角度により生じる可能性のある影を極力低減できるため、良質な無影環境を提供することができる。
【００２３】
ここでいう「作業方向軸」とは、以下に述べる各機構を以って定義付けられるものとする。すなわち、（１）エアタービンハンドピースやマイクロモータハンドピースでは把持軸を、（２）スケーラでは工具取付軸または工具先端方向軸のいずれか一方を、（３）スリーウェイシリンジでは噴射方向軸を、（４）レーザハンドピースや光重合照射器では光照射軸を、（５）口腔内カメラでは撮像素子取付軸を、作業方向軸としてそれぞれ定める。
【００２４】
また、上記に加え、請求項１に係る歯科・医科用診療器具において、エレクトロルミネッセンス素子が面発光光源として用いられる。ＬＥＤ（発光ダイオード）のような点発光光源を複数用いる従来の技術と比べ、面発光するエレクトロルミネッセンス素子を光源に用いる本発明では、照明機構の構成を単一光源にすることも可能である。単一光源にすることにより、複数の点発光光源間に発生する可能性のある暗部や光の重畳による光の強度や明度の不均一を抑え、照射光の均一性を確保することが容易になる。その結果、看部への光照射において広範囲に渡る均一光の照射を実現できるという効果が奏される。
【００２５】
上記の解決手段においては、以上のとおり、ハンドピースヘッド部の小型化、軽量化、照射光の均一化が図れるようになる。これにより、術者は診療がし易くなり、また患者は大きな口を開けなくて済むため、診療時に伴う負担の軽減という効果が奏される。
【００２６】
本発明の請求項２に係る歯科・医科用診療器具は、請求項１の歯科・医科用診療器具において、前記の光源が少なくとも照射光の波長変更手段または光量変更手段のいずれか一方の照射光可変手段を更に備えることにより、発光時の照射光の、色相変化や色調変化や強度変化を可能とするため、白色光を用いる看部の治療、観察などの診療行為に使用する照明のモードと、青色の励起光を照射するう蝕観察等のモードとに、切替えて使用することができる。
【００２７】
また、請求項２に係る歯科・医科用診療器具は、照射光の波長及び光量を変化させることによって、例えば青味がかった強い白色や黄色をおびた弱い白色など、様々な光種への調整が可能になるため、診療時の用途に応じた、多様な照射光の提供を行うことができる。
【００２８】
また、請求項２に係る歯科・医科用診療器具は、照射光の光量を変化させることによって、例えば、診療の内容に応じた強度の光照射を行うことができるため、診療に最適な照射光を提供することができる。
【００２９】
ここでいう「色相変化」とは、赤、青、黄、などの色知覚の性質を特徴付ける属性の変化を指すものとする。
【００３０】
ここでいう「色調変化」とは、照射光の色の明度、色の彩度、色の濃淡、の少なくともいずれかの要素の変化を指すものとする。
【００３１】
上記の解決手段においては、光照射における可変性を有するエレクトロルミネッセンス素子を光源部材に用いることにより、薄層化及び軽量化を実現しながらも、簡素な構成のままで、照射光の色相変化や色調変化や強度変化による多様な光照射が可能な面発光光源を器具に搭載することで、性能の向上並びに汎用性の拡大という効果が奏される。
【発明を実施するための最良の形態】
【００３２】
以下に、図を参照しながら本発明の実施の形態について説明する。
【００３３】
まずは、本発明の一般的な実施形態である各診療器具の構成について述べる。
【００３４】
図１は、エアタービンハンドピースの正面外観図で、図４は、スケーラの正面外観図で、図７は、スリーウェイシリンジの正面外観図であり、図９は、口腔内カメラの正面外観図である。これらは、一般的にハンドピースと称される歯科・医科用診療器具の一例である。これらはハンドインスツルメントと称されることもある。前記器具は凡そ、それぞれ、ハンドピース本体１、ハンドピースヘッド部２、診療用工具３もしくは受光部５の部位から構成される。
【００３５】
図１のエアタービンハンドピース並びに図４のスケーラのハンドピース本体１内部には、ハンドピースヘッド部２に備えられる診療用工具３の駆動機構（不図示）や、当該器具の起動に用いる電力供給機構（不図示）等が装備されている。図７のスリーウェイシリンジには、水や空気を噴射口Ｎまで送る管路等が装備されている。また、図９の口腔内カメラの本体１内部には、カメラ等の受光部５を含む作業媒体を駆動させる電力供給機構（不図示）等が装備されている。
【００３６】
加えて、本発明の特徴となる面発光光源を設ける各診療器具のハンドピースヘッド部の構成について述べる。
【００３７】
図２はエアタービンハンドピースのハンドピースヘッド部２の外観一部拡大正面図であり、図５はスケーラのハンドピースヘッド部２の外観一部拡大正面図であり、図１０は口腔内カメラのハンドピースヘッド部２の外観一部拡大正面図である。
【００３８】
図２のエアタービンハンドピースのハンドピースヘッド部２や、図５のスケーラのハンドピースヘッド部２は、患部の切削や研磨に用いられる診療用工具３を着脱するための工具着脱用開口部４を有する。この構成は後述の図３並びに図６に図示する。また、図１０の口腔内カメラは、ハンドピースヘッド部２の底面部に受光部５が設けられており、この受光部５には、ＣＣＤなどの撮像素子（不図示）が設けられている。この構成は後述の図１１に図示する。一方、図７のスリーウェイシリンジには、ハンドピースヘッド部２に連接された診療用工具３の先端に、水や空気の噴射を行うための噴射口Ｎが設けられている。
【００３９】
尚、本発明の実施例では、診療用工具３とは、エアタービンハンドピースやスケーラでは、一般的にバーといわれる切削や研磨を行う部材を指し、スリーウェイシリンジでは、一般的にノズルといわれる先端の噴射口Ｎを含む空気管路Ａ及び水管路Ｗを内蔵する部材を指すものとする。
【００４０】
以上が本発明の実施形態の歯科・医科用診療器具の基本的な構造であるが、上記は公知の技術であるため、詳細な説明は省略する。
【００４１】
次いで、本発明の特徴的な構成であるエレクトロルミネッセンス素子を用いた面発光光源を搭載する手段の説明を図３、図６、図８、図１１を用いて行う。
【００４２】
図３は図２のエアタービンハンドピースのハンドピースヘッド部２のａ視図であり、図６は図５のスケーラのハンドピースヘッド部２のｂ視図であり、図８は図７のスリーウェイシリンジのｃ視図であり、図１１は図１０の口腔内カメラのハンドピースヘッド部２のｄ視図である。各視図には、エレクトロルミネッセンス素子を用いた面発光光源７が装着された状態を、面発光光源７の光照射面Ｌとしてハッチングで示してある。
【００４３】
図３は、切削工具を着脱できるエアタービンハンドピースのハンドピースヘッド部２の工具未装着時の底面拡大図である。
【００４４】
図３（イ）は、エアタービンハンドピースのハンドピースヘッド部２底面部に設けられた面発光光源７と、その出光部分である光照射面Ｌを示す。面発光光源７であるエレクトロルミネッセンス素子を備える場合、素子の持つ成形柔軟性という特性を活かして、本実施例のように工具着脱用開口部４を完全に包囲するよう外周形状に沿って３６０度連続するようなドーナツ型の単一の光照射面Ｌを設ければ、良質な無影環境が得られるため好都合である。
【００４５】
図３（ロ）は、エアタービンハンドピースのハンドピースヘッド部２底面部の出光部分である光照射面Ｌが馬蹄形の形状をしている実施例である。尚、光源を搭載する手段はこの限りではなく、例えば、工具着脱用開口部４の外周に、エレクトロルミネッセンス素子を用いた面発光光源を、略３６０度に及ぶように複数配置することもできる。
【００４６】
図６は、図５に示すスケーラの工具未装着時のｂ視図の拡大図である。この実施例の面発光光源７は、工具着脱用開口部４を囲うように３６０度連続する光照射面Ｌを形成するドーナツ型の形状になっている。光照射面Ｌはチップと呼ばれる工具の先端を光照射するために、外または内方向に傾斜させることが好ましい。尚、光源の形はこの限りではなく、少なくとも工具の先端が光照射の対象領域内であればよい。
【００４７】
図８（ハ）は、図７に示すスリーウェイシリンジのハンドピースヘッド部２に連設された診療用工具３先端のｃ視図であり、当該先端部には空気管路Ａ、水管路Ｗの出射端の周囲を囲むドーナツ状の光照射面Ｌを有している。図８（ニ）は図８（ハ）の光源の範囲を更に拡大した実施例であり、光照射面Ｌ上に複数の非照射面が空気管路Ａ及び水管路Ｗを避けるような形状に加工してある。尚、空気管路Ａ及び水管路Ｗの配置はこの図の限りではない。また、光源の形はこの限りではない。
【００４８】
図１１は、図１０に示す口腔内カメラのハンドピースヘッド部２底面部のｄ視図である。この実施例では、ハンドピースヘッド部２の底面内部の、ＣＣＤカメラ等の撮像素子が内設された受像部５の周囲を囲むように、底面部一帯に渡って略ドーナツ状の光照射面Ｌを有する。
【００４９】
以上のような光源を搭載する手段においては、少なくとも光照射の対象領域に対して均一な光照射ができ、また、良質な無影環境を提供できる限りにおいて望ましいものであり、発光体の形は実施例の限りではない。例えば光源の他の実施例として、光照射面の形状は楕円形、任意の多角形であっても良い。エレクトロルミネッセンス素子は成形容易な材料であるので、列挙したいずれの形状に合わせた加工を実現することができる。
【００５０】
以上の実施例のように、ハンドピースヘッド部２の形状に制約されることなく、ハンドピースヘッド部２の底面部または先端部にエレクトロルミネッセンス素子を用いた面発光光源７を設けることができる。
【００５１】
次いで、以上のように成形加工された面発光光源７を器具へ装着する手段について説明する。本実施例では、光源保護カバー６を用いて光源を器具へ設ける。光源保護カバー６は剥き出し状態の面発光光源７と診療看部との接触防止用の覆いであると同時に、光源を器具に固定する役割を担っている。
【００５２】
図１２、図１３はそれぞれ異なる方式の光源保護カバー６を用いてハンドピースヘッド部２底面部に面発光光源７を装着する手段を示した、エアタービンハンドピースでの実施例である。
【００５３】
図１２（ホ）は、装着時にハンドピースヘッド部２の底面部と密着するように、光源保護カバー６内に面発光光源７が備えられた実施例である。この実施例では、光源保護カバー６に設けられた爪とハンドピースヘッド部２に設けられた光源保護カバー６装着用の溝とを嵌込んで、面発光光源７と光源保護カバー６をハンドピースヘッド部２に装着することができる。図１２（ヘ）は、光源保護カバー６をハンドピースヘッド部２の底面部に嵌込んだ状態である。尚、光源保護カバーの装着は、本実施例にあるような爪と溝を用いる手段の他に、例えば光源保護カバーとハンドピースヘッド部とを螺合する手段を用いてもよい。
【００５４】
図１３（ト）は、光源保護カバー６とハンドピースヘッド部２との間に面発光光源７が挟み込まれた状態になるよう、光源保護カバー６とハンドピースヘッド部２の底面部とを接着して面発光光源７を装着する実施例である。図１３（チ）は、実際にハンドピースヘッド部２底面上に面発光光源７を設けた状態で光源保護カバー６を接着させ、ハンドピースヘッド部２と光源保護カバー６との間に光源を固定した状態である。尚、本実施例で用いる接着の手段においては、ハンドピースヘッド部２が口腔内に挿入される点を考慮し、接着後のハンドピースヘッド部２が人体に無害な構成であればよい。
【００５５】
また、光源保護カバー６に使用される素材には、オートクレーブ滅菌が可能であり、耐熱性に優れた透過性のある透明色素材が好都合である。また、口腔内カメラ等の受像関連装置に用いる光源保護カバー６には、透明度が高く表面が傷つきにくい素材を用いることが好ましい。
【００５６】
尚、面発光光源７を各診療器具のハンドピースヘッド部２へ装着する手段は上記の限りではない。上記のようなハンドピースヘッド部２と光源保護カバー６とを組み合わせる実施例の他に、エレクトロルミネッセンス素子を用いた面発光光源に光源保護カバーを取付けたハンドピース本体１とは別体の照明装置を、ハンドピースヘッド部２に設けられた工具着脱用開口部４に併設されるように装着して、照明機能を後付けすることも可能である。
【００５７】
次いで、図１４、図１５及び図１６を用いて、面発光光源７に用いるエレクトロルミネッセンス素子の発光手段及び照射光の色相、色調、強度を変化させる手段についての説明を行う。
【００５８】
図１４は、ハンドピースヘッド部２の底面部に単一の面発光光源７を内設した構成のエアタービンハンドピースの実施例である。この実施例では、ハンドピースヘッド部２と光源保護カバー６との間に設けられた単一の面発光光源７を、ハンドピース本体１内部に設けられた電力供給機構（不図示）から送電用導線１０を用いて陰極電極接続部８及び陽極電極接続部９に電気を供給することによって励起させ、光源を発光させることができる。
【００５９】
本発明において面発光光源７が使用される状況において、光源は器具の駆動と連動して光照射を行っても良いし、器具の駆動とは別個に独立して光照射を行っても良い。
【００６０】
図１５は、図１４でハンドピースヘッド部２に内設されるエレクトロルミネッセンス素子を用いる単一の面発光光源７を励起させる構成の実施例である。本実施例での面発光光源７の基本構造は、発光体であるエレクトロルミネッセンス素子と、素子に電気供給を行うための送電用導線１０と、送電用導線１０の先端にそれぞれ接続された陰極電極接続部８及び陽極電極接続部９から成り、両電極接続部からの送電によって該素子が励起し発光する。
【００６１】
尚、素子を励起させる機構の構成は上記の限りではない。両電極の接続部は逆であってもよい。また、複数の面発光光源を設ける場合は、陰極電極接続部８並びに陽極電極接続部９及び送電用導線１０を連結的に配置して、個々のエレクトロルミネッセンス素子に電気供給を行うこともできる。
【００６２】
図１６のブロック図は、本発明の面発光光源７が有する照射光可変手段１１´の照射光を変化させる機能に係る制御手段を示す概略図である。本実施例では、照射光可変手段１１´は、波長変更手段１１及び光量変更手段１２の両手段から構成される。従って、照射光に関して、色、明度、彩度、濃度や、強度などの質的・量的な調節が可能となる。当該手段は、ハンドピース内部に組み込むか、もしくは、ハンドピース外部に実装される制御手段に連係的に搭載することができる。
【００６３】
本実施例の照射光可変手段１１´は面発光光源７と電源Ｐとの間に適用され、電源Ｐと、当該電源Ｐから送電用導線１０を介して実行される波長変更手段１１並びに光量変更手段１２と、これら両手段によって起こる照射光の変化を送電用導線１０’を経由して面発光光源７に反映するように接続されている。
【００６４】
尚、電源Ｐと波長変更手段１１及び光量変更手段１２を介する通信手段は、通常は有線方式であるが、無線方式にすることもできる。
【００６５】
本実施例の構成の照射光可変手段１１´を備える歯科・医科用診療器具では、搭載する面発光光源７に、白色光の照射だけでなく、青味がかった白色や弱い黄色光等様々な種類の光照射を行わせることが可能である。尚、エレクトロルミネッセンス素子を用いる面発光光源７の照射光を変化させる手段は、本実施例に限られるものではなく、例えば、発光層を複数設けて混色してもよい。発光層が複数層であっても、積層によってもたらされる厚みの違いは非体感的なレベルであり、口腔内の環境を妨げるものではない。
【００６６】
エレクトロルミネッセンス素子の励起手段及び照射光を変化させる手段は公知の技術であるので、詳細な説明は省略する。
【００６７】
また、照射光の調整手段として、スイッチ等の波長や光量を調節できる照射光調整部（不図示）を設ける場合は、ハンドピース本体１やハンドピースに連設されるフートスイッチ（不図示）等のハンドピース制御部など、診療時の術者が使い勝手の良いに位置に設けることが望ましい。
【００６８】
本発明で面発光光源７として用いる、エレクトロルミネッセンス素子は、有機エレクトロルミネッセンス素子（有機ＥＬ素子）であっても、無機エレクトロルミネッセンス素子（無機ＥＬ素子）であっても良い。特に有機エレクトロルミネッセンス素子は、カラー発光が簡単に得られるので様々なディスプレイ材料として汎用性が高いこともあり安価に調達出来るので、より好ましい。
【００６９】
また上記の両素子は薄型・軽量化が実現でき、視野角が広く、応答速度が速く、且つ振動に対する耐性がある。よって狭窄空間の使用に適し、術者の視野に対して広い光照射面を提供し、エアタービンハンドピース、マイクロモータハンドピース、スリーウェイシリンジに限らずスケーラ、口腔内カメラ、レーザハンドピースなど他の治療器具にも幅広く適用することができるので好ましい。
【００７０】
本発明の実施は歯科・医科用診療器具の形状にとらわれない。従って、図１のようなエアタービンハンドピースや図７のスリーウェイシリンジのようなコントラアングルタイプのハンドピースにも、図４のスケーラや図９の口腔内カメラのようなストレートタイプのハンドピースにも、適用することができる。一方、診療用工具３が突設されるようなハンドピースにも、受光部５などの作業媒体が埋設されるようなハンドピースにも適用することができる。
【００７１】
以上の実施例の他にも、本発明は、口腔内光照射装置やレーザハンドピースなどへの適用が可能である。レーザハンドピースの場合には、ハンドピースヘッド部に設けられたレーザ照射口の周りに光照射面を形成することができ、例えば診療時のガイド光として用いるような形態でも実施可能である。
【００７２】
診療時に患者の看部に最も接近する、診療用工具３を含むハンドピースヘッド部２は、特に、狭窄した口腔内に挿し込まれて使用されるため、厚み及び幅が極力少ない形態であることが望ましい。既述の実施例では、薄く小さなヘッド部２を設計することで、診療時の開口動作を小さくし、患者の負担や不快感を軽減できる設計になっている。
【００７３】
また、術者がハンドピースを用いる場合、狭小箇所に対する集中的な作業を行うため、ハンドピース本体１の重さは極力小さくすることが望ましい。ハンドピースヘッド部２を軽量化することで、術者の負担を軽減できる。以上の点を踏まえると、本発明で使用するエレクトロルミネッセンス素子は、薄層化、及び軽量化が可能な点が特徴の素材であるため、ハンドピースヘッド部２に設けられる面発光光源７の構成部材として好都合である。
【００７４】
以上を踏まえると歯科や医科分野で使用する光照射装置に適用させる部材として、エレクトロルミネッセンス素子による面発光光源を使用する治療器具は術者のみならず患者に対しても非常に好ましい。
【図面の簡単な説明】
【００７５】
【図１】本発明である面発光光源を備えたエアタービンハンドピースの正面外観図である。
【図２】図１の工具未装着時のハンドピースヘッド部の外観一部拡大正面図である。
【図３】図２のａ視図の底面拡大図である。（イ）は面発光光源が完全に工具着脱用開口部を包囲する形状の一例で、（ロ）は工具着脱用開口部の周囲を馬蹄形に包囲する形状の一例である。
【図４】本発明である面発光光源を備えたスケーラの正面外観図である。
【図５】図４のハンドピースヘッド部の外観一部拡大正面図である。
【図６】図５の工具未装着時のハンドピースヘッド部の一部拡大ｂ視図である。
【図７】本発明である面発光光源を備えたスリーウェイシリンジの正面外観図である。
【図８】図７の診療用工具を連結するハンドピースヘッド部のｃ視図の一部拡大図である。（ハ）は空気管路と水管路の集合範囲全体を囲むように光源が設けられている形態である。（ニ）は（ハ）の変形例で、管路に干渉しないように（ハ）の照射範囲を更に広げた実施例を示した図である。
【図９】本発明である面発光光源を備えた口腔内カメラの正面外観図である。
【図１０】図９の口腔内カメラのハンドピースヘッド部の正面外観拡大図である。
【図１１】図１０のハンドピースヘッド部のｄ視図の底面拡大図である。
【図１２】面発光光源の設置手段と、嵌め込み式の光源保護カバーの装着する手段を説明する、エアタービンハンドピースのハンドピースヘッド部正面の一部拡大図である。（ホ）は該カバー未装着時で、（ヘ）は装着時の図である。
【図１３】発光光源の設置方法と、嵌め合い式の光源保護カバーの装着する手段を説明する、エアタービンハンドピースのハンドピースヘッド部正面の一部拡大図である。（ト）は該カバー未装着時で、（チ）は装着時の図である。
【図１４】光源保護カバー装着時のヘッド内部を示した、光源箇所と励起用送電用導線の配置を説明するエアタービンハンドピースのハンドピースヘッド部正面の一部拡大切欠き断面図である。
【図１５】面発光光源の一実施例と、励起用の陰極電極接続部及び陽極電極接続部に接続された送電用導線の接合関係を説明する斜視図である。
【図１６】本発明に係る面発光光源の照射光可変手段の制御を表したブロック図である。
【符号の説明】
【００７６】
１  ハンドピース本体、２  ハンドピースヘッド部、３  診療用工具、４  工具着脱用開口部、５  受光部、６  光源保護カバー、７  面発光光源、８  陰極電極接続部，９  陽極電極接続部、１０，１０’  送電用導線、１１’  照射光可変手段、１１  波長変更手段、１２  光量変更手段、Ａ  空気管路、Ｌ  光照射面、Ｎ  噴射口、Ｐ  電源、Ｗ  水管路
【図１】
2009082702.tif 000003
【図２】
2009082702.tif 000004
【図３】
2009082702.tif 000005
【図４】
2009082702.tif 000006
【図５】
2009082702.tif 000007
【図６】
2009082702.tif 000008
【図７】
2009082702.tif 000009
【図８】
2009082702.tif 000010
【図９】
2009082702.tif 000011
【図１０】
2009082702.tif 000012
【図１１】
2009082702.tif 000013
【図１２】
2009082702.tif 000014
【図１３】
2009082702.tif 000015
【図１４】
2009082702.tif 000016
【図１５】
2009082702.tif 000017
【図１６】
2009082702.tif 000018